(57)【要約】【課題】レンズ及びフィルター部材を配列したレンズ鏡筒の小型化、フィルター部材の位置決め等を容易に行えるようにする。【解決手段】レンズＧを保持し光軸方向Ｌに軸心をもつレンズ筒１０、レンズ筒の端部に着脱自在に結合されるフィルター枠３０、フィルター枠により固定される薄板状のフィルター部材４０を備えるレンズ鏡筒３において、フィルター枠３０は、レンズ筒１０に着脱自在に嵌合されかつレンズ筒１０と協働してフィルター部材４０を挟持すると共にフィルター部材４０の一部（非円弧部４２）を露出させるように切り欠かれている。これにより、レンズ鏡筒の簡素化、小型化を達成しつつ、レンズ筒に対してフィルター部材を容易に位置決めでき、又、印刷物等を読み取る小型のスキャナー等に対して容易に搭載することができる。【選択図】図１
2008076698.tif 000002
【特許請求の範囲】
【請求項１】
レンズを保持し光軸方向に軸心をもつレンズ筒と、前記レンズ筒の端部に着脱自在に結合されるフィルター枠と、前記フィルター枠により固定される薄板状のフィルター部材と、を備えたレンズ鏡筒であって、
前記フィルター枠は、前記レンズ筒に着脱自在に嵌合され、かつ、前記レンズ筒と協働して前記フィルター部材を挟持すると共に前記フィルター部材の一部を露出させるように切り欠かれている、
ことを特徴とするレンズ鏡筒。
【請求項２】
前記レンズ筒は、光軸方向に軸心をもつ円筒状に形成され、
前記フィルター枠は、前記レンズ筒の外周面に対して光軸方向から着脱自在に嵌合される環状嵌合部と、前記フィルター部材の外縁領域の一部を光軸方向の内側から当接させて前記レンズ筒の端面と協働して挟持する挟持部と、前記フィルター部材の外縁領域の他部を露出させるように切り欠かれて光軸方向の外側から当接させる端面部と、を含む、
ことを特徴とする請求項１記載のレンズ鏡筒。
【請求項３】
前記フィルター部材は、その外縁領域において、前記挟持部に挟持される円弧部と、前記端面部に当接される円弧以外の非円弧部と、を画定するように形成されている、
ことを特徴とする請求項２記載のレンズ鏡筒。
【請求項４】
前記フィルター枠は、前記レンズ筒に嵌合された状態で、ネジにより固定されるように形成されている、
ことを特徴とする請求項２又は３に記載のレンズ鏡筒。
【請求項５】
前記フィルター部材は、偏光フィルターである、
ことを特徴とする請求項１ないし４いずれかに記載のレンズ鏡筒。
【発明の詳細な説明】
【技術分野】
【０００１】
本発明は、光軸方向において、レンズ及びフィルター部材を配列したレンズ鏡筒に関し、特に、印刷物等の紙面を読み取るスキャナー等において、反射ミラー等により屈曲させた光路の途中に配置されるレンズ鏡筒に関する。
【背景技術】
【０００２】
近年におけるパーソナルコンピュータ等の普及により、印刷物等の紙面を読み取るスキャナーが一般に広く使用されている。このスキャナーは、小型化を図るべく、物体（被写体）から発せられた被写体光を反射ミラー等により屈曲させてレンズ鏡筒及び撮像素子（結像面）に導くようなレンズ光学系を備えている。
一方、最近の印刷物においては、紙の表面にビニールコートあるいはホログラム等を施して、光沢反射や特殊反射を伴うように形成されたものが多くなっている。これらの光沢反射や特殊反射による反射光は、本来の印刷情報（内容）に重なって読み取りの妨げとなるため、この反射光を取り除くことが望ましい。
【０００３】
そこで、これに対処するべく、照明光線の照射角を変える、あるいは、光路に偏光フィルターを配置する等の手法が採られている。偏光フィルターを光路内に配置する場合、偏光フィルターが小さくて済むように、一般に、偏光フィルターは、撮影レンズの先端部すなわちレンズ鏡筒の先端部に配置される。
偏光フィルターをレンズ鏡筒に取り付ける手法としては、例えば、環状のフィルター枠に対して、光軸方向から円形に形成された偏光フィルターを嵌め込んで固着又は挟持すると共に、フィルター枠の内周面又は外周面に雄ネジ又は雌ネジを形成し、この偏光フィルターを保持したフィルター枠を、レンズ鏡筒に螺合して組付ける手法が知られている（例えば、特許文献１、特許文献２、特許文献３参照）。
しかしながら、これらの手法では、特に方向性をもつ偏光フィルターの位置決めが容易ではなく、又、スキャナー等においては、レンズ鏡筒の先端と光路を屈曲させる反射ミラーとが接近して配置されるため、従来のようなフィルター枠を適用するのは困難である。
【０００４】
【特許文献１】特開２００４−２６４５５５号公報
【特許文献２】特開２００５−３０１１７２号公報
【特許文献３】特開２００５−３０１１７３号公報
【発明の開示】
【発明が解決しようとする課題】
【０００５】
本発明は、上記の事情に鑑みて成されたものであり、その目的とするところは、構造の簡素化、小型化等を図りつつ、偏光フィルター等のフィルター部材を容易に又高精度に方向付けして組み込むことができるレンズ鏡筒を提供することにあり、特に、印刷物等の紙面を読み取る小型の（内部空間が制約される）スキャナー等に搭載されるのに適したレンズ鏡筒を提供することにある。
【課題を解決するための手段】
【０００６】
本発明のレンズ鏡筒は、レンズを保持し光軸方向に軸心をもつレンズ筒と、レンズ筒の端部に着脱自在に結合されるフィルター枠と、フィルター枠により固定される薄板状のフィルター部材と、を備えたレンズ鏡筒であって、上記フィルター枠は、レンズ筒に着脱自在に嵌合され、かつ、レンズ筒と協働してフィルター部材を挟持すると共にフィルター部材の一部を露出させるように切り欠かれている、ことを特徴としている。
この構成によれば、フィルター部材の一部を露出させるようにフィルター枠に嵌め込んだ後、フィルター枠をレンズ筒に結合することにより、フィルター部材はフィルター枠とレンズ筒に挟持され堅固に固定される。
また、フィルター部材に方向性がある場合に、フィルター部材の露出した部分を位置決めとして用いる（例えば、露出した部分を位置決めそのものとして用いる、又は、露出した部分にその方向を表示する目印等を設け、その目印を確認しつつフィルター枠をレンズ筒に嵌合させる）ことで、レンズ筒に対するフィルター部材の位置決めを容易に行うことができる。
さらに、このレンズ筒をスキャナー等に搭載する場合に、フィルター枠の切り欠かれた領域を近接する光学部品（例えば、反射ミラー）に対向するように組み込むことで、その光学部品に干渉することなく、スキャナー等に対して容易に搭載することができる。
【０００７】
上記構成において、レンズ筒は、光軸方向に軸心をもつ円筒状に形成され、フィルター枠は、レンズ筒の外周面に対して光軸方向から着脱自在に嵌合される環状嵌合部と、フィルター部材の外縁領域の一部を光軸方向の内側から当接させてレンズ筒の端面と協働して挟持する挟持部と、フィルター部材の外縁領域の他部を露出させるように切り欠かれて光軸方向の外側から当接させる端面部とを含む、構成を採用することができる。
この構成によれば、フィルター部材の外縁領域の一部を内側から挟持部に当接させ、かつ、フィルター部材の外縁領域の（一部を除く）他部を外側から端面部に当接させるように、フィルター部材をフィルター枠に嵌め込み、フィルター枠の環状嵌合部をレンズ筒の（端部の）外周面に嵌合させることにより、フィルター部材は、フィルター枠の挟持部とレンズ筒の端面により挟持されて堅固に固定される。
また、端面部に当接すると共に外部に露出したフィルター部材の外縁領域の他部を位置決めとして用いる（例えば、露出した外縁領域の他部を位置決めそのものとして用いる、又は、露出した外縁領域の他部に目印等を設け、その目印を確認しつつフィルター枠に対して位置決する）ことで、フィルター部材を位置決めしたフィルター枠を、レンズ筒に対して（光軸回りに）回転させることにより、レンズ筒に対するフィルター部材の方向付け（取付角度の位置決め）を容易にかつ高精度に行うことができる。
【０００８】
上記構成において、フィルター部材は、その外縁領域において、挟持部に挟持される円弧部と、端面部に当接される円弧以外の非円弧部と、を画定するように形成されている、構成を採用することができる。
この構成によれば、フィルター部材が、円弧部及び非円弧部をもつ外縁領域（外輪郭）を画定するように形成されているため、フィルター枠に組み込んだ時点で、フィルター枠に対するフィルター部材の方向付けを確実に行うことができ、レンズ筒に対するフィルター枠の組付け角度を調整することにより、レンズ筒に対するフィルター部材の方向付け（取付角度の位置決め）を高精度に行うことができる。
【０００９】
上記構成において、フィルター枠は、レンズ筒に嵌合された状態で、ネジにより固定されるように形成されている、構成を採用することができる。
この構成によれば、ネジを締め込むことで、フィルター枠をレンズ筒に対して堅固にかつ容易に固定することができ、又、方向性のあるフィルター部材を組み込む場合は、レンズ筒に対してフィルター枠の角度位置を調整した後に、ネジを締め込むことで、その調整位置をずれないように保持しつつ、フィルター枠をレンズ筒に対して高精度に固定することができる。
【００１０】
上記構成において、フィルター部材は、偏光フィルターである、構成を採用することができる。
この構成によれば、偏光フィルターを含むレンズ光学系を必要とする光学機器、例えば、印刷物等の読み取りを行うスキャナー等に容易に適用することができる。
【発明の効果】
【００１１】
上記構成をなすレンズ鏡筒によれば、構造の簡素化、小型化等を達成しつつ、フィルター部材（例えば、色フィルター、偏光フィルター等）を容易に、又、高精度に方向付けして組み込むことができ、特に、印刷物等の紙面を読み取る小型のスキャナー等に搭載されるのに適したレンズ鏡筒を得ることができる。
【発明を実施するための最良の形態】
【００１２】
以下、本発明の最良の実施形態について、添付図面を参照しつつ説明する。
図１ないし図５は、本発明に係るレンズ鏡筒を印刷物等の読み取りに用いられる小型のスキャナーに適用した一実施形態を示すものであり、図１はスキャナーの光路を示す側断面図、図２はスキャナーの光路を示す正面図、図３はレンズ鏡筒の側面図及び正面図、図４はフィルター部材を組み込んだフィルター枠を示す正面図及び側面図並びに断面図、図５はフィルター部材の正面図である。
【００１３】
このスキャナーは、図１及び図２に示すように、物体ＯＢＪから上方に向けて発せられた被写体光（の光線）を略水平方向に反射する第１反射ミラー１、第１反射ミラー１により反射された光線を逆向きの水平方向に反射する第２反射ミラー２、第２反射ミラー２により反射された光線を光軸方向Ｌに進入させるレンズ鏡筒３、レンズ鏡筒３を通過した被写体光の光線を結像させる結像面Ｐをもつ撮像素子等を備えている。
ここで、第１反射ミラー１は、図１に示すように、レンズ鏡筒３の先端部に近接した位置に配置されている。
【００１４】
レンズ鏡筒３は、図１ないし図３に示すように、レンズＧを保持するレンズ筒１０、レンズＧを押える押え部材２０、レンズ筒１０に結合されるフィルター枠３０、フィルター枠３０に嵌め込まれるフィルター部材４０、フィルター枠３０をレンズ筒１０に固定するネジＢ等を備えている。
【００１５】
レンズ筒１０は、図１及び図３（ａ），（ｂ）に示すように、光軸方向Ｌに軸心をもつ円筒状に形成され、外周面１１、レンズＧを保持する内壁１２、所定の口径を規定する開口絞り１３、押え部材２０を嵌め込む内壁１４、光軸方向Ｌの一端部に画定される端面１５等を備えている。
そして、レンズ筒１０には、光軸方向Ｌの両側から内壁１２にレンズＧが嵌め込まれ、その両外側からレンズＧを押えるように押え部材２０が内壁１４に嵌め込まれる。
また、端面１５には、フィルター部材４０の外縁領域（後述する円弧部４１）を当接させるようになっている。
【００１６】
フィルター枠３０は、図１、図３（ａ），（ｂ）、図４（ａ），（ｂ），（ｃ）に示すように、レンズ筒１０の端部に位置する外周面１１に対して光軸方向Ｌから着脱自在に嵌合される環状嵌合部３１、後述するフィルター部材４０の外縁領域の一部を光軸方向Ｌの内側から当接させてレンズ筒１０の端面１５と協働して挟持する挟持部３２、後述するフィルター部材４０の外縁領域の他部を露出させるように切り欠かれて光軸方向Ｌの外側から当接させる端面部３３、ネジＢを螺合する２つのネジ孔３４等を備えている。
【００１７】
環状嵌合部３１は、円筒状に形成されると共に、レンズ筒１０の外周面１１に対して密接すると共に光軸Ｌ回りに回動自在に嵌合される内径寸法をなすように形成されている。
そして、環状嵌合部３１は、レンズ筒１０に対して光軸方向Ｌに着脱自在に嵌合されるようになっている。
また、環状嵌合部３１には、その外周面から径方向に貫通するように２つのネジ孔３４が形成されている。２つのネジ孔３４は、ネジＢを螺合する雌ネジを画定している。
すなわち、フィルター枠３０は、レンズ筒１０に嵌合された状態で、ネジＢにより固定されるように形成されている。
したがって、レンズ筒１０に対してフィルター枠３０の角度位置を調整した後に、ネジＢを締め込むことで、フィルター枠３０をレンズ筒１０に対して堅固にかつ容易に固定することがでる。
【００１８】
挟持部３２は、環状嵌合部３１の内周面３１ａよりも径方向内側に向けて円弧状に延出するように形成されて、フィルター部材４０の中央領域を露出させる開口部３２ａ、光軸方向Ｌにおいてレンズ筒１０内に対向するように形成されて後述するフィルター部材４０の円弧部４１を光軸方向Ｌの内側から当接させる内側端面３２ｂ等を画定している。
【００１９】
端面部３３は、環状嵌合部３１の上方領域を切り欠くことにより、挟持部３２の上側に連続して形成され、後述するフィルター部材４０の非円弧部４２を露出させると共に光軸方向Ｌの外側から当接させるようになっている。
【００２０】
フィルター部材４０は、図５に示すように、矢印方向に偏光透過軸をもつ薄板状の偏光フィルターであり、外縁領域（外輪郭）において、円弧状に形成されてフィルター枠３０の挟持部３２（内側端面３２ｂ）に挟持される外縁領域の一部としての円弧部４１、円弧部４１の上方領域において略矩形状に（すなわち、円弧以外の形状に）形成されて外部に露出させられると共に光軸方向Ｌの外側からフィルター枠３０の端面部３３に当接される外縁領域の他部としての非円弧部４２を画定するように形成されている。
【００２１】
このように、フィルター部材４０は、円弧部４１及び非円弧部４２をもつ外縁領域（外輪郭）を画定するように形成されているため、フィルター枠３０に組み込んだ時点で、フィルター枠３０に対するフィルター部材４０の方向付けを確実に行うことができ、レンズ筒１０に対するフィルター枠３０の組付け角度を調整することにより、レンズ筒１０に対するフィルター部材４０の方向付けを高精度に行うことができる。
【００２２】
上記構成をなすレンズ鏡筒３の組立手順について説明する。
先ず、フィルター部材４０をフィルター枠３０に組み込む。すなわち、非円弧部４２をフィルター枠３０の内側から外側に突出させるように適宜弾性変形（湾曲）させつつ嵌め込み、非円弧部４２を端面部３３に光軸方向Ｌの外側から対向させると共に、円弧部４１を挟持部３２の内側端面３２ｂに当接させる。
これにより、フィルター部材４０は、図３（ａ）及び図４（ａ）に示すように、フィルター枠３０に対して保持され、その中央領域が開口部３２ａにより露出させられた状態となり、その非円弧部４２が端面部３３を画定するべく切り欠かれた部分により露出させられた状態になる。
【００２３】
続いて、レンズ筒１０に対してレンズＧを嵌め込み、押え部材２０を装着してレンズＧを固定する。尚、レンズ筒１０，レンズＧ，及び押え部材２０の組付けは、フィルター部材４０をフィルター枠３０に組み込む前に行われてもよい。
【００２４】
続いて、フィルター部材４０を保持したフィルター枠３０を、レンズＧを組み込んだレンズ筒１０に結合させる。すなわち、環状嵌合部３１を光軸方向Ｌの一方側からレンズ筒１０の一端部に近づけ、その外周面１１に外嵌させる。
この嵌合状態においては、環状嵌合部３１（フィルター枠３０）は、レンズ筒１０に対して光軸Ｌ回りに回転させて角度を微調整できるようになっている。
【００２５】
そこで、レンズ筒１０（レンズＧ）に対して、フィルター部材４０の偏光透過軸が所定の向きに方向付けられるように、環状嵌合部３１（フィルター枠３０）を適宜回転させて、レンズ筒１０に対する取付角度を微調整する。
この微調整により、フィルター部材４０は、取付角度が高精度に位置決めされて方向付けされる。
【００２６】
その後、ネジＢを環状嵌合部３１のネジ孔３４に捩じ込むことにより、高精度に位置決めされた状態を維持しつつ、フィルター枠３０（フィルター部材４０）がレンズ筒１０に堅固に固定される。これにより、レンズ鏡筒３が完成する。
【００２７】
上記のように、フィルター部材４０の中央領域及び外縁領域の他部（非円弧部４２）を露出させるようにフィルター枠３０に嵌め込んだ後、組付け角度を微調整しつつフィルター枠３０をレンズ筒１０に結合するだけで、フィルター部材４０の位置決め（方向付け）を行いつつ、フィルター部材４０をフィルター枠３０とレンズ筒１０とで挟持して堅固に組付けることができる。
【００２８】
上記のように、このレンズ鏡筒３によれば、構造の簡素化、小型化等を達成しつつ、フィルター部材４０を容易にかつ高精度に方向付けして組み込むことができ、又、フィルター部材４０の一部が露出させられるようにフィルター枠３０の一部が切り欠かれているため、図１に示すように、このレンズ筒３を、印刷物等の紙面を読み取る小型のスキャナーに搭載する場合に、フィルター枠３０の切り欠かれた領域を（非接触の状態で）近接する第１反射ミラー１に対向するように組み込むことで、スキャナーに対して容易に搭載することができる。
【００２９】
上記実施形態においては、フィルター部材４０が円弧部４１及び非円弧部４２を画定するように形成された場合について示したが、これに限定されるものではなく、フィルター部材の露出した部分にその方向を表示する目印等を設ければ、その目印を確認しつつフィルター枠３０をレンズ筒１０に嵌合させることで、フィルター部材の位置決めを容易に行うことができる。
【００３０】
上記実施形態においては、フィルター枠３０をレンズ筒１０に嵌合させた後に、ネジＢを締め込んで固定する場合を示したが、分解する必要がなければ、フィルター枠３０をレンズ筒１０に嵌合して位置決めした後に、接着剤等を用いて固着してもよい。
【００３１】
上記実施形態においては、レンズ鏡筒に適用されるフィルター部材として、方向性のある偏光フィルターを示したが、これに限定されるものではなく、色フィルター、ＮＤフィルター等の方向性をもたないフィルター部材を適用してもよい。
【産業上の利用可能性】
【００３２】
以上述べたように、本発明レンズ鏡筒は、構造の簡素化、小型化等を達成しつつ、フィルター部材を容易にかつ高精度に方向付けして組み込むことができるため、印刷物等の紙面を読み取る小型のスキャナー等に適用できるのは勿論のこと、スキャナーに限らず、レンズ及びフィルター部材を配列したレンズ鏡筒を必要とするレンズ光学系であれば、その他の光学機器においても有用である。
【図面の簡単な説明】
【００３３】
【図１】本発明に係るレンズ鏡筒を搭載するスキャナーの一実施形態を示すものであり、その光路を示す側断面図である。
【図２】図１に示すレンズ鏡筒を搭載するスキャナーを光軸方向から見た光路を示す正面図である。
【図３】図１に示すスキャナーに搭載されるレンズ鏡筒を示すものであり、（ａ）はレンズ鏡筒の側面図、（ｂ）はレンズ鏡筒の正面図である。
【図４】図３に示すレンズ鏡筒に含まれるフィルター枠及びフィルター部材を示すものであり、（ａ）はその正面図、（ｂ）はその側面図、（ｃ）は（ａ）中のＥ１−Ｅ１における断面図である。
【図５】図３に示すレンズ鏡筒に含まれるフィルター部材を示す正面図である。
【符号の説明】
【００３４】
１  第１反射ミラー
２  第２反射ミラー
３  レンズ鏡筒
Ｐ  結像面
Ｌ  光軸
ＯＢＪ  物体
１０  レンズ筒
１１  外周面
１２  内壁
１３  開口絞り
１４  内壁
１５  端面
Ｇ  レンズ
２０  押え部材
３０  フィルター枠
３１  環状嵌合部
３１ａ  内周面
３２  挟持部
３２ａ  開口部
３２ｂ  内側端面
３３  端面部
３４  ネジ孔
４０  フィルター部材
４１  円弧部（外縁領域の一部）
４２  非円弧部（外縁領域の他部）
【図１】
2008076698.tif 000003
【図２】
2008076698.tif 000004
【図３】
2008076698.tif 000005
【図４】
2008076698.tif 000006
【図５】
2008076698.tif 000007